【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
エレクトレット部材を装備した固定電極と振動膜電極とを備えるコンデンサ部と、
前記コンデンサ部を収納するケース部と、
前記振動膜電極の振動により生じる前記コンデンサ部の静電容量の変化を電気信号に変換して出力する変換回路を装備した基板と、
前記ケース部の内部に配置して前記コンデンサ部と前記基板とを導通させる導通部とを有するエレクトレットコンデンサマイクロホンであって、
平面視において前記コンデンサ部の外側部と前記ケース部との間の距離を前記コンデンサ部の周方向において異ならせるように、前記ケース部の平面視における形状と前記コンデンサ部の平面視における形状とを異形にしてあり、
前記ケース部は、電気的に絶縁する絶縁材にて形成し且つその内方側に前記導通部を備えた第１ケース部と、その第１ケース部上に載置して電気的に絶縁する絶縁材にて形成している第２ケース部とから構成してあるエレクトレットコンデンサマイクロホン。
【請求項２】
前記第１ケース部は、筒状に形成された筒状部分及びその筒状部分の周方向に間隔を隔てて前記筒状部分から内方側に突出する複数の突出部分を有し、
前記導通部は、前記突出部分の先端部に配置している請求項１に記載のエレクトレットコンデンサマイクロホン。
【請求項３】
前記ケース部の平面視における形状及び前記コンデンサ部の平面視における形状は、一方を矩形状に形成し且つ他方を円形状に形成している請求項１又は２に記載のエレクトレットコンデンサマイクロホン。
【手続補正２】
【補正対象書類名】明細書
【補正対象項目名】０００９
【補正方法】変更
【補正の内容】
【０００９】
この目的を達成するために、本発明にかかるエレクトレットコンデンサマイクロホンの特徴構成は、エレクトレット部材を装備した固定電極と振動膜電極とを備えるコンデンサ部と、前記コンデンサ部を収納するケース部と、前記振動膜電極の振動により生じる前記コンデンサ部の静電容量の変化を電気信号に変換して出力する変換回路を装備した基板と、前記ケース部の内部に配置して前記コンデンサ部と前記基板とを導通させる導通部とを有するエレクトレットコンデンサマイクロホンにおいて、平面視において前記コンデンサ部の外側部と前記ケース部との間の距離を前記コンデンサ部の周方向において異ならせるように、前記ケース部の平面視における形状と前記コンデンサ部の平面視における形状とを異形にしてあり、前記ケース部は、電気的に絶縁する絶縁材にて形成し且つその内方側に前記導通部を備えた第１ケース部と、その第１ケース部上に載置して電気的に絶縁する絶縁材にて形成している第２ケース部とから構成してある点にある。
【手続補正３】
【補正対象書類名】明細書
【補正対象項目名】００１０
【補正方法】変更
【補正の内容】
【００１０】
平面視においてケース部の形状とコンデンサ部の形状とを異形にして、コンデンサ部の周方向においてコンデンサ部の外側部とケース部との間の距離が短い部分と長い部分とを設けている。そして、コンデンサ部の外側部とケース部との間の距離が長い部分では、その距離が長いことによって、寄生容量の低減を図ることができる。また、コンデンサ部の周方向の全周にわたってコンデンサ部の外側部とケース部との間の距離を長くするのではなく、コンデンサ部の外側部とケース部との間の距離が短い部分を設けることにより、ケース部の平面視におけるサイズを極力小型にしている。
したがって、平面視におけるサイズの小型化を図りながら、寄生容量の低減により高感度化を実現できる。
前記第１ケース部は、絶縁材にて形成してありその内方側にコンデンサ部と基板とを導通させる導通部を備えているので、第１ケース部と導通部との間での寄生容量の発生を抑制できる。そして、第１ケース部の内方側に導通部を備えているので、平面視において第１ケースの外側部と導通部との間の距離を大きくすることができる。したがって、シールド性の向上のために、第１ケース部の外側部に金属メッキを施すメッキ処理を行っている場合でも、寄生容量の低減を図ることができる。
また、第１ケース部は導通部を備えており、第１ケース部にて導通部を支持する部材を兼用できるとともに、第１ケース部上に第２ケース部を載置するだけで導通部をケース部の内部に配置することができるので、構成の簡素化を図ることができる。
本発明にかかるエレクトレットコンデンサマイクロホンの別の特徴構成は、前記第１ケース部が、筒状に形成された筒状部分及びその筒状部分の周方向に間隔を隔てて前記筒状部分から内方側に突出する複数の突出部分を有し、前記導通部は、前記突出部分の先端部に配置している点にある。
前記導通部は、筒状部分の周方向の全周にわたって存在するのではなく、筒状部分の周方向に間隔を隔てた突出部分にのみ存在するので、平面視において導通部が存在する面積を小さくでき、導通部の表面積を小さくできる。したがって、平面視において導通部と他の導電性部材との間の距離を離すことができ且つ導通部と他の導電性部材との対向面積を小さくでき、寄生容量の低減を図ることができる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００４０
【補正方法】削除
【補正の内容】
【手続補正１１】
【補正対象書類名】明細書
【補正対象項目名】００４１
【補正方法】削除
【補正の内容】
【手続補正１２】
【補正対象書類名】明細書
【補正対象項目名】００４２
【補正方法】変更
【補正の内容】
【００４２】
（２）上記第１〜第５実施形態では、第１ケース部１３が筒状部分１３ａと突出部分１３ｂとを有した形状としているが、第１ケース部１３を筒状部分のみを有する形状とするなど、第１ケース部１３をどのような形状とするかは適宜変更が可能である。また、筒状部分１３ａと突出部分１３ｂとを有する形状とする場合でも、突出部分１３ｂをいくつ設けるか及び突出部分１３ｂの形成箇所については適宜変更が可能である。
【手続補正１３】
【補正対象書類名】明細書
【補正対象項目名】００４３
【補正方法】変更
【補正の内容】
【００４３】
（３）上記第１〜第５実施形態では、導通部６を第１ケース部１３の突出部分１３ｂの先端部に配置しているが、導通部６を第１ケース部１３のどの位置に配置するかは適宜変更が可能である。
【手続補正１４】
【補正対象書類名】明細書
【補正対象項目名】００４４
【補正方法】変更
【補正の内容】
【００４４】
（４）上記第１〜第５実施形態では、本発明にかかるエレクトレットコンデンサマイクロホンとして、第２ケース部１４の音孔１５側から見て、背極板２を振動板１よりも前面側に配置した構造やバックタイプ構造を例示したが、その他ホイルタイプ構造とすることもできる。